【事件の表示】
　平成　４年特許願第　１８６８８号「現場状況把握装置」拒絶査定に対する審判事件［平成　５年　８月２７日出願公開、特開平　５−２１６９７９］について、次のとおり審決する。
【結　論】
　本件審判の請求は、成り立たない。
【理　由】
１．手続の経緯・本願発明
　本願は、平成４年２月４日の出願であって、その請求項１乃至請求項３に係る発明は、平成１２年２月１８日付け、及び平成１２年７月１７日付けの各手続補正書で補正された明細書、並びに、図面の記載からみて、その特許請求の範囲の請求項１乃至請求項３に記載されたとおりのものと認められるところ、その請求項１に記載された発明（以下、「本願発明」という。）は、次のとおりである。
　　　
「地図情報が蓄積される地図情報蓄積部と、
　前記地図情報蓄積部に蓄積した地図を表示し情報が手書き入力される地図表示・手書き入力部と、
　手書き入力された情報を記録する手書き入力情報記録部と、
　前記手書き入力情報記録部で入力された情報が記憶され同時に前記地図表示・手書き入力部に表示されている地図の番号が手書き入力と同時に記録される地図番号記録部と、
　前記地図番号記録部に記憶された手書き入力された情報と地図番号とを送受信する伝送部と、
　前記伝送部で受信した地図番号により前記地図情報蓄積部から該当する地図情報を検索する地図
番号検索部と、
　この地図番号検索部で検索された地図情報と前記手書き入力情報とを合成する手書き入力情報・地図情報合成部と
を備えた現場状況把握装置。」
　　
２．引用刊行物
　これに対し、原審の拒絶の理由で引用された特開平３−２４４２６５号公報（以下、「引用例」という。）には、図面とともに次の各記載がある。
（ア）「第１図において、端末機１Ａは、漁船に搭載されている。端末機１Ｂは、陸上の漁協組合の事務所に設置されており、端末機１Ａと端末機１Ｂは通信を行う場合、電話回線２で接続される。
　端末機１Ａは、手書き情報を入力する入力ペン１１Ａ付きのデジタイザ１２Ａ、このデジタイザ１２Ａが上面に重設されるディスプレイ１３Ａ、データの取り込みや、表示、種々のデータ処理を実行する制御部１４Ａ、電話機１５Ａ、相手との通信を制御する通信制御部１６Ａ、さらに記憶装置１７Ａを備えている。
　デジタイザ１２Ａは入力ペン１１Ａの接触移動した軌跡座標で手書き情報を取り込む機能を有し、ここではディスプレイ１３Ａが目視可能なように、透明体で構成される。
　ディスプレイ１３Ａには、例えば液晶表示パネルが使用され、デジタイザ１２Ａから入力された、あるいは相手方から伝送されてきた手書き情報や記憶装置１７Ａに記憶された画像データを読み出して表示する。また描画モード指定用、その他のアイコン表示、記憶装置１７Ａに記憶される画像データのNo.付リストもディスプレイ１７Ａに１７Ａに表示される。その表示制御は、制御部１４Ａで実行される。この制御部１４ＡはＣＰＵ、ＲＯＭ、ＲＡＭ等を含むものであるが、その構成自体は特に新しいものではない。
　記憶装置１７は、この実施例手書き通信端末機において最も特徴とするところであり、複数の漁場の海図がNo.対応で個別に読み出し可能に記憶されている。記憶装置１７Ａは、記憶媒体１８と、その読み取り部（図示せず）とからなるものであり、記憶媒体１８としては、例えばＩＣメモリカードやフロッピディスクが使用され、読取部に対して着脱自在である。
　端末機１Ｂの構成も基本的には、端末機１Ａと同様であり、説明は省略するが、陸上の端末機１Ａにはファックス機構部１９Ｂを接続していてもよい。」
（第２頁左下欄第１６行〜第３頁左上欄第１３行）
　　　
（イ）「次に、上記実施例の通信動作を端末機１Ｂから船舶の端末機１Ａに電話をかけて描画通信を行う場合の動作を第２図及び第３図に示すフローチャートにより説明する。
　送信側の端末機、受信側の端末機とも通常は電話機を用いて回線接続しない場合には回線接続か否かを判別しながら（ステップＳＴ１）待機している。端末機１Ｂが電話機１５Ｂを使って、相手方の船舶の端末機１Ａを呼び出し、回線２を接続状態とすると、ステップＳＴ１の判別がＹＥＳとなり、次に描画通信モードか否か判定する（ステップＳＴ２）。ディスプレイ１３Ａに表示された描画通信アイコンを入力ペン１１Ａで指定しない状態では、ステップＳＴ２の判定がＮＯとなり、他の処理、例えば通常の電話通信等に移るが、描画通信を行う場合に、端末機１Ｂの入力ペン１１Ｂにより、描画通信アイコンを操作する。これによりステップＳＴ２の判定がＹＥＳとなり、描画通信モードが指定されると、ディスプレイ１３Ｂには記憶媒体１８Ｂに記憶されている海図No.のリストが画面に表示される。（ステップＳＴ３）。端末機１Ｂでは、次に電話機１５Ｂにより相手方に、本日の漁場を指示することを通話で告げながら、入力ペン１１Ｂで対応する海図No.のリストのマークをタッチする、つまり指定入力する（ステップＳＴ４）。この海図No.の指定入力により、端末機１Ｂのディスプレイ１３Ｂの画面が変わり、記憶媒体１８Ｂに記憶されている指定No.に対応する海図が記憶媒体１８Ｂから読み出され表示される（ステップＳＴ５）とともに、その海図No.を制御部１４Ｂ、通信制御部１６Ｂ、電話回線２を介して相手方に伝送する。この状態で相手の端末機１Ａのディスプレイ１３Ａに、同じく記憶媒体１８Ａに記憶されている対応する海図が表示される。これについては、第３図のフローで後に説明する。ステップＳＴ６の送信が終了すると、描画通信に入り（ステップＳＴ７）、ここで、その海図中の特にどの辺が好漁場であるかといった、遣り取りを端末機１Ａとの間で行う。この描画通信は電話機が切られるまで行われるが、電話機が切られると、回線切り離しかの判定がＹＥＳとなり（ステップＳＴ８）、描画通信を終了する。
　一方、受信側では、つまり端末機１Ａ側では、同様に回線接続がなされると、ステップＳＴ１１の判定はＹＥＳとなり、端末機１Ｂから描画通信コマンドが送られてくると、ステップＳＴ１２の判定もＹＥＳとなり、この時点では、対応する海図No.がディスプレイ１３Ｂに同様に表示される（ステップＳＴ１３）。そして、海図No.が次に送られてきたか否かを判定する（ステップＳＴ１４）。端末機１Ｂから指定された海図No.が送られていると、ステップＳＴ１４の判定がＹＥＳとなり、その海図No.に対応する画像データを記憶媒体１８Ａから読み出し、ディスプレイ１３Ａに表示する（ステップＳＴ１５）。この状態で端末機１Ｂのディスプレイ１３Ｂと、端末機１Ａのディスプレイ１３Ａには、同じNo.の海図の画像データが表示される。従って、受信側の端末機１Ａも同様に描画通信に入り（ステップＳＴ１６）、電話機が置かれて、回線が切り離しとなるまで（ステップＳＴ１７）、描画通信を行う、つまり各端末機１Ａ、１Ｂはそれぞれのディスプレイ１３Ａ、１３Ｂに表示されている同一の海図に従い、どの漁場が最も適切であるか、入力ペン等で指示しながら、電話を通じて打ち合わせることになる。
　以上のような処理では、打ち合わすべき海図の画像データは、予めそれぞれの記憶媒体１８Ａ、１８Ｂに記憶されており、一方の端末機からのNo.指定によりそれぞれの記憶媒体から海図データを呼び出しディスプレイに表示するものであるから、電話回線を通じて海図画像は伝送されることなく、したがって、第三者がこれを傍受しても、何のことかわからず、秘匿性が改善される。
　また、それぞれディスプレイ１３Ａ、１３Ｂに海図画像を表示するのに、No.を指定するのみであり、電話回線２を介して送り出すことがないので、読み出す時間が非常に短く、したがってトータルの通信時間を短くすることができる。
　なお、上記実施例では、船舶の端末機と陸上の端末機との間で描画通信を行う場合を例にとったが、使用分野はこれに限ることなく、例えば定型伝票等を予め記憶装置に記憶しておき、事務データを授受する場合等、種々の手書き通信に適用することができる。」
（第３頁左上欄第１４行〜第４頁左上欄第１７行）
　　　
（ウ）「この発明によれば、地図や定型伝票等のイメージデータを予め記憶装置に画像データとして記憶しておき、コマンドを送ることにより、それぞれの記憶装置からディスプレイに表示するものであり、従来のファクシミリ伝送のようにイメージデータを電話回線を介して送る必要がないので、その分伝送時間を非常に短縮することができる。また、イメージデータそのものは電話回線を介して送信するのではなく、記憶装置に記憶されているデータ指定により、ディスプレイに表示するものであるから、画像データを傍受することが困難であり、通信の秘匿性を確保することができる。」
（第４頁左上欄第１９行〜同頁右上欄第１０行）
　　　
３．対比
　そこで、本願発明（前者）と引用例に記載された発明（後者）とを対比すると、
（ａ）後者の「複数の漁場の海図がNo.対応で個別に読み出し可能に記憶されている記憶装置１７Ａ（１７Ｂ）」（前記（ア）参照。）は、明らかに、前者の「地図情報が蓄積される地図情報蓄積部」に相当する。
（ｂ）後者の「手書き情報を入力する入力ペン１１Ａ（１１Ｂ）付きのデジタイザ１２Ａ（１２Ｂ）、このデジタイザ１２Ａ（１２Ｂ）が上面に重設されるディスプレイ１３Ａ（１３Ｂ）」は、前者の「地図情報蓄積部に蓄積した地図を表示し情報が手書き入力される地図表示・手書き入力部」に相当する。これは、前記（ア）の中の「ディスプレイ１３Ａには、例えば液晶表示パネルが使用され、デジタイザ１２Ａから入力されたあるいは相手方から伝達されてきた手書き情報や記憶装置１７Ａに記憶された画像データを読み出して表示する。」という記載から明かである。
（ｃ）後者は、入力ペン１１Ａ（１１Ｂ）とデジタイザ１２Ａ（１２Ｂ）により、手書き情報を入力しており（前記（ア）及び（イ）参照。）、入力した情報を記憶し保持することは自明な技術常識であるから、後者は、手書き入力された情報を記録する手書き情報入力記録部を有するものであるといえる。
（ｄ）送信及び受信側が海図No.の送信及び受信時に、該海図No.を記憶しておかなければならないことは自明な技術常識であるから、後者は、海図No.（地図番号）記録部を有するものであるといえる。
（ｅ）後者の「通信制御部１６Ａ（１６Ｂ）」は、明らかに、前者の「手書き入力された情報と地図番号とを送受信する伝送部」に相当する。
（ｆ）後者は、通信制御部１６Ａ（１６Ｂ）で受信した海図No.に基づいて該当する海図情報を記憶装置１７Ａ（１７Ｂ）から検索しているから、海図No.検索部（地図番号検索部）を有するものであるといえる。これは前記（イ）の中の「海図No.の指定入力により、端末機１Ｂのディスプレイ１３Ｂの画面が変わり、記憶媒体１８Ｂに記憶されている指定No.に対応する海図が記憶媒体１８Ｂから読み出され表示される（ステップＳＴ５）とともに、その海図No.を制御部１４Ｂ、電話回線を介して相手方に伝送する。この状態で相手の端末機１Ａのディスプレイ１３Ａに、同じく記憶媒体１８Ａに記憶されている対応する海図が表示される。」という記載から明かである。
（ｇ）引用例には、「ディスプレイ１３Ａには、例えば液晶表示パネルが使用され、デジタイザ１２Ａから入力されたあるいは相手方から伝達されてきた手書き情報や記憶装置１７Ａに記憶された画像データを読み出して表示する。」と記載されているから、後者は、海図情報と手書き情報とを合成する手書き情報・海図情報合成部を有するものであるといえる。
　　
（一致点）
　してみると、前者と後者は、
「地図情報が蓄積される地図情報蓄積部と、
　前記地図情報蓄積部に蓄積した地図を表示し情報が手書き入力される地図表示・手書き入力部と、
　手書き入力された情報を記録する手書き入力情報記録部と、
　前記地図表示・手書き入力部に表示されている地図の番号が記録される地図番号記録部と、
　前記地図番号記録部に記憶された手書き入力された情報と地図番号とを送受信する伝送部と、
　前記伝送部で受信した地図番号により前記地図情報蓄積部から該当する地図情報を検索する地図
番号検索部と、
　この地図番号検索部で検索された地図情報と前記手書き入力情報とを合成する手書き入力情報・地図情報合成部と
を備えた現場状況把握装置。」
である点で、一致しており、次の点で、相違する。　　
（相違点）
　地図番号（海図No.）の記録が、前者は、「手書き入力と同時に記録される」のに対して、後者は、「手書き入力に先立ってリストから指定され記録される」点。
　　　　　
４．当審の判断
　そこで、上記相違点について検討すると、
　情報・通信の技術分野においては、複数の送信すべき情報を同時に記録し同時に送信すること、及び、別々に記録し異なる時間に送信することの双方が周知慣用されており、いずれも技術常識の範囲内に属する事項であるから、受信側に手書き情報と地図番号情報とを送信するに際し、地図番号情報を先に記録し続けて手書き情報を記録し送信するか、または、地図番号情報と手書き情報とを同時に記録し送信するかは、当業者が適宜なし得る設計事項にすぎない。
　
５．むすび
　以上のとおりであるので、本願発明は、引用例に記載された発明及び周知慣用技術とに基いて、当業者が容易に発明をすることができたものと認められ、特許法第２９条第２項の規定により特許を受けることができない。
　よって、結論のとおり審決する。